(57)【要約】【課題】殺菌対象となる繊維構造物および／または処理装置の構成部材を高温に加熱する必要がなく、必ずしも乾燥状態にする必要もないとともに、殺菌対象となる繊維構造物および／または処理装置の構成部材に劣化、退色等をもたらさないで、殺菌対象となる繊維構造物および／または処理装置の構成部材が損傷することがなく、十分な殺菌作用を得ることが可能な、繊維構造物の処理装置を提供することである。【解決手段】繊維構造物の処理装置としての洗濯乾燥機１００は、内部に繊維構造物として衣類６を収容する収容部として回転ドラム３と、回転ドラム３に、および／または、回転ドラム３内に収容された衣類６に、銀イオンを付与する銀イオン付与部として銀イオン水供給部４０と、銀イオン水供給部４０によって銀イオンが付与された回転ドラム３および／または衣類６に光を照射する光照射部として光照射ユニット２０とを備える。【選択図】図４
2008049109.tif 000002
【特許請求の範囲】
【請求項１】
銀イオンが付与された繊維構造物を内部に収容する収容部と、
前記銀イオンが付与された繊維構造物に光を照射する光照射部とを備えた、繊維構造物の処理装置。
【請求項２】
内部に繊維構造物を収容する収容部と、
前記収容部に、および／または、前記収容部内に収容された前記繊維構造物に、銀イオンを付与する銀イオン付与部と、
前記銀イオン付与部によって銀イオンが付与された前記収容部および／または前記繊維構造物に光を照射する光照射部とを備えた、繊維構造物の処理装置。
【請求項３】
前記光照射部は、可視光を含む光を照射する、請求項２に記載の繊維構造物の処理装置。
【請求項４】
前記繊維構造物を洗う洗い工程を行い、前記銀イオン付与部によって銀イオンが付与された前記収容部および／または前記繊維構造物に、前記洗い工程の後に、前記光照射部が光を照射する、請求項２または請求項３に記載の繊維構造物の処理装置。
【請求項５】
前記繊維構造物をすすぐすすぎ工程を行い、前記すすぎ工程の間に前記銀イオン付与部が前記収容部および／または前記繊維構造物に銀イオンを付与し、前記銀イオン付与部によって銀イオンが付与された前記収容部および／または前記繊維構造物に、前記すすぎ工程の後に、前記光照射部が光を照射する、請求項２から請求項４までのいずれか１項に記載の繊維構造物の処理装置。
【請求項６】
前記繊維構造物から水を除去する脱水工程を行い、前記銀イオン付与部によって銀イオンが付与された前記収容部および／または前記繊維構造物に、前記脱水工程の間に、および／または、前記脱水工程の後に、前記光照射部が光を照射する、請求項２から請求項５までのいずれか１項に記載の繊維構造物の処理装置。
【請求項７】
前記繊維構造物を乾燥させる乾燥工程を行い、前記銀イオン付与部によって銀イオンが付与された前記収容部および／または前記繊維構造物に、前記乾燥工程の間に、および／または、前記乾燥工程の後に、前記光照射部が光を照射する、請求項２から請求項６までのいずれか１項に記載の繊維構造物の処理装置。
【請求項８】
前記乾燥工程を低温で行う、請求項７に記載の繊維構造物の処理装置。
【請求項９】
ヒートポンプ装置を用いて前記乾燥工程を行う、請求項８に記載の繊維構造物の処理装置。
【請求項１０】
前記収容部から前記繊維構造物を取り出した後、前記光照射部が前記収容部に光を照射する、請求項２から請求項９までのいずれか１項に記載の繊維構造物の処理装置。
【請求項１１】
銀イオンを含む水を使用し、銀イオンを含む水に光を照射する光照射部を備える、繊維構造物の処理装置。
【請求項１２】
前記銀イオンは、電解により生成される銀イオンである、請求項１から請求項１１までのいずれか１項に記載の繊維構造物の処理装置。
【発明の詳細な説明】
【技術分野】
【０００１】
この発明は、繊維構造物の処理装置に関し、特定的には殺菌作用を高めることが可能な、衣類、布団、敷物等の繊維構造物の処理装置、たとえば、洗濯機、洗濯乾燥機、乾燥機等に関するものである。
【背景技術】
【０００２】
従来から、衣類を乾燥させるために、加熱作用がある赤外線等を含む光を衣類に照射する洗濯乾燥機が、たとえば、特開２００５−１５２１９３号公報（特許文献１）、特開２００５−１６８６８７号公報（特許文献２）、特開２００５−１７７０８１号公報（特許文献３）で提案されている。
【０００３】
また、外槽の上板、水槽および外蓋等に付着した有機物質からなる汚物を分解して除去するために紫外線を照射する電気洗濯機が、たとえば、特開平９−１３５９９２号公報（特許文献４）で提案され、雑菌の繁殖によって洗濯物にいやな臭いのつくことを防止するために洗濯物に紫外線を照射する洗濯機が、たとえば、特開平１０−４３４８１号公報（特許文献５）で提案されている。
【０００４】
さらに、洗濯物に付着している雑菌を死滅させるように殺菌作用を付与し、または、洗濯物に付着している雑菌の繁殖を抑制するように抗菌作用を付与するために、銀イオンを洗濯物に付与する洗濯機が、たとえば、実開平５−７４４８７号公報（特許文献６）、特開２００１−２７６４８４号公報（特許文献７）、特開２００３−２９０５９４号公報（特許文献８）、特開２００４−２１５８１７号公報（特許文献９）、特開２００４−３２１３１３号公報（特許文献１０）で提案されている。
【０００５】
さらにまた、乾燥効率を高めるために、ヒートポンプ装置を用いて衣類を乾燥させるドラム式洗濯乾燥機または衣類乾燥装置が、たとえば、特開２００４−２２９９５４号公報（特許文献１１）、特開２００５−３０４９８７号公報（特許文献１２）で提案されている。
【０００６】
なお、槽内を照明するために照明ランプを取り付けた洗濯機が、たとえば、特開平５−２４５２９２号公報（特許文献１３）、特開平６−１９０１８６号公報（特許文献１４）、特開平６−３２７８８７号公報（特許文献１５）、特開２０００−１５７７８１号公報（特許文献１６）で提案されている。
【特許文献１】特開２００５−１５２１９３号公報
【特許文献２】特開２００５−１６８６８７号公報
【特許文献３】特開２００５−１７７０８１号公報
【特許文献４】特開平９−１３５９９２号公報
【特許文献５】特開平１０−４３４８１号公報
【特許文献６】実開平５−７４４８７号公報
【特許文献７】特開２００１−２７６４８４号公報
【特許文献８】特開２００３−２９０５９４号公報
【特許文献９】特開２００４−２１５８１７号公報
【特許文献１０】特開２００４−３２１３１３号公報
【特許文献１１】特開２００４−２２９９５４号公報
【特許文献１２】特開２００５−３０４９８７号公報
【特許文献１３】特開平５−２４５２９２号公報
【特許文献１４】特開平６−１９０１８６号公報
【特許文献１５】特開平６−３２７８８７号公報
【特許文献１６】特開２０００−１５７７８１号公報
【発明の開示】
【発明が解決しようとする課題】
【０００７】
しかしながら、衣類を乾燥させるために加熱作用がある赤外線等を含む光を衣類に照射する場合、衣類の温度を上昇させることによって殺菌することができるが、高温に加熱されるために衣類が損傷するという問題がある。また、この場合、衣類を乾燥させなければ、衣類を殺菌処理することがないため、洗濯乾燥機にて洗濯しても乾燥させたくない衣類等に対しては殺菌処理を施すことができないという問題がある。
【０００８】
また、殺菌処理のために紫外線を照射する洗濯機では、紫外線の照射によって、洗濯機を構成する合成樹脂等が劣化したり、衣類等の洗濯物が退色したり、黄変したりするという問題がある。
【０００９】
さらに、銀イオンを洗濯物に付与する洗濯機では、所望の抗菌作用、殺菌作用を得るためには、所定量以上の銀イオンを洗濯物に付与する必要があるので、洗濯物の量、使用水量等によっては、十分な抗菌作用、殺菌作用を得ることができないという問題がある。
【００１０】
さらにまた、乾燥効率を高めるためにヒートポンプ装置を用いて衣類を乾燥させるドラム式洗濯乾燥機または衣類乾燥装置では、低温で衣類を乾燥させるために、雑菌が死滅する温度である６５〜８０℃程度に装置内の温度が到達しない場合がある。このため、ヒートポンプ装置を用いて衣類を乾燥させる場合、その熱による殺菌効果は不十分となる場合がある。
【００１１】
そこで、この発明の目的は、殺菌対象となる繊維構造物および／または処理装置の構成部材を高温に加熱する必要がなく、必ずしも乾燥状態にする必要もないとともに、殺菌対象となる繊維構造物および／または処理装置の構成部材に劣化、退色等をもたらさないで、殺菌対象となる繊維構造物および／または処理装置の構成部材が損傷することがなく、十分な殺菌作用を得ることが可能な、繊維構造物の処理装置を提供することである。
【課題を解決するための手段】
【００１２】
この発明に従った繊維構造物の処理装置は、銀イオンが付与された繊維構造物を内部に収容する収容部と、銀イオンが付与された繊維構造物に光を照射する光照射部とを備える。
【００１３】
この発明の繊維構造物の処理装置においては、予め銀イオンが付与された繊維構造物に、さらに光を照射することによって殺菌作用を向上させることができる。また、殺菌対象となる繊維構造物を加熱しないで、必ずしも乾燥状態にする必要もなく、銀イオンが付与された繊維構造物に光を照射するだけで殺菌作用を向上させることができる。さらに、銀イオンが付与された繊維構造物に光を照射するだけで、雑菌等の微生物の繁殖をより効果的に抑制することができる。なお、繊維構造物に銀イオンを付与するだけの装置に比べて、本発明の繊維構造物の処理装置によれば、少ない銀の使用量で所定の殺菌作用を得ることができる。したがって、銀イオン付与機能を備えた洗濯機、洗濯乾燥機等によって予め銀イオンが付与された衣類、布団、敷物等の繊維構造体を殺菌処理することができ、殺菌対象となる物質が損傷することがなく、十分な殺菌作用を得ることができる。
【００１４】
この発明に従った繊維構造物の処理装置は、内部に繊維構造物を収容する収容部と、収容部に、および／または、収容部内に収容された繊維構造物に、銀イオンを付与する銀イオン付与部と、銀イオン付与部によって銀イオンが付与された収容部および／または繊維構造物に光を照射する光照射部とを備える。
【００１５】
この発明の繊維構造物の処理装置においては、銀イオンが付与された収容部および／または繊維構造物に、さらに光を照射することによって殺菌作用を向上させることができる。また、殺菌対象となる収容部および／または繊維構造物を加熱しないで、必ずしも乾燥状態にする必要もなく、銀イオンが付与された収容部および／または繊維構造物に光を照射するだけで殺菌作用を向上させることができる。さらに、銀イオンが付与された収容部および／または繊維構造物に光を照射するだけで、雑菌等の微生物の繁殖をより効果的に抑制することができる。なお、収容部および／または繊維構造物に銀イオンを付与するだけの装置に比べて、本発明の繊維構造物の処理装置によれば、少ない銀の使用量で所定の殺菌作用を得ることができる。したがって、合成樹脂等からなる収容部を構成する部材、および／または、衣類、布団、敷物等の繊維構造体を殺菌処理することができ、殺菌対象となる物質が損傷することがなく、十分な殺菌作用を得ることができる。
【００１６】
この発明の繊維構造物の処理装置においては、光照射部は、可視光を含む光を照射することが好ましい。この場合、可視光を含む光を照射することによって、殺菌作用をより向上させることができるとともに、紫外線による物質の劣化、退色等の損傷を防止することができる。
【００１７】
また、この発明の繊維構造物の処理装置においては、繊維構造物を洗う洗い工程を行い、洗い工程の後に、銀イオン付与部によって銀イオンが付与された収容部および／または繊維構造物に、光照射部が光を照射することが好ましい。この場合、少なくとも洗い工程の後で、光照射部が収容部および／または繊維構造物に光を照射することによって、洗濯対象物としての繊維構造物、および／または、洗濯対象物を収容する収容部を殺菌処理することができ、殺菌対象となる物質が損傷することがなく、十分な殺菌作用を得ることができる。
【００１８】
さらに、この発明の繊維構造物の処理装置においては、繊維構造物をすすぐすすぎ工程を行い、すすぎ工程の間に銀イオン付与部が収容部および／または繊維構造物に銀イオンを付与し、すすぎ工程の後に、銀イオン付与部によって銀イオンが付与された収容部および／または繊維構造物に、光照射部が光を照射することが好ましい。この場合、すすぎ工程の間に銀イオン付与部が収容部および／または繊維構造物に銀イオンを付与することができ、少なくともすすぎ工程の後で、光照射部が収容部および／または繊維構造物に光を照射することによって、洗濯対象物としての繊維構造物、および／または、洗濯対象物を収容する収容部を殺菌処理することができ、殺菌対象となる物質が損傷することがなく、十分な殺菌作用を得ることができる。
【００１９】
さらにまた、この発明の繊維構造物の処理装置においては、繊維構造物から水を除去する脱水工程を行い、脱水工程の間に、および／または、脱水工程の後に、銀イオン付与部によって銀イオンが付与された収容部および／または繊維構造物に、光照射部が光を照射することが好ましい。この場合、繊維構造物から水を除去する脱水工程を行い、脱水工程の間に、および／または、脱水工程の後に、光照射部が収容部および／または繊維構造物に光を照射することによって、洗濯対象物としての繊維構造物、および／または、洗濯対象物を収容する収容部を殺菌処理することができ、殺菌対象となる物質が損傷することがなく、十分な殺菌作用を得ることができる。また、脱水工程の間に、および／または、脱水工程の後に、光照射部が収容部および／または繊維構造物に光を照射するので、収容部内に洗濯用水またはすすぎ用水が存在しないので、洗濯対象物としての繊維構造物、および／または、洗濯対象物を収容する収容部に対して効率的に光を照射することができる。
【００２０】
この発明の繊維構造物の処理装置においては、繊維構造物を乾燥させる乾燥工程を行い、乾燥工程の間に、および／または、乾燥工程の後に、銀イオン付与部によって銀イオンが付与された収容部および／または繊維構造物に、光照射部が光を照射することが好ましい。この場合、繊維構造物を乾燥させる乾燥工程を行い、乾燥工程の間に、および／または、乾燥工程の後に、光照射部が収容部および／または繊維構造物に光を照射することによって、洗濯対象物としての繊維構造物、および／または、洗濯対象物を収容する収容部を殺菌処理することができ、殺菌対象となる物質が損傷することがなく、十分な殺菌作用を得ることができる。また、乾燥工程の間に、および／または、乾燥工程の後に、光照射部が収容部および／または繊維構造物に光を照射するので、収容部内に水が存在しないので、乾燥対象物としての繊維構造物、および／または、乾燥対象物を収容する収容部に対して効率的に光を照射することができる。
【００２１】
また、この発明の繊維構造物の処理装置においては、上記の乾燥工程を低温で行うことが好ましい。この場合、低温で繊維構造物を乾燥させることによって、繊維構造物の乾燥による損傷を防止することができるとともに、低温下で殺菌作用を向上させることができる。
【００２２】
さらに、この発明の繊維構造物の処理装置においては、ヒートポンプ装置を用いて上記の乾燥工程を行うことが好ましい。この場合、ヒートポンプ装置を用いた低温乾燥を行う乾燥機、洗濯乾燥機等の繊維構造物の処理装置において、低温下で殺菌作用を向上させることができる。
【００２３】
なお、この発明の繊維構造物の処理装置においては、収容部から繊維構造物を取り出した後、光照射部が収容部に光を照射することが好ましい。この場合、収容部から繊維構造物を取り出した後、収容部内を効果的に殺菌処理することができる。
【００２４】
この発明の繊維構造物の処理装置においては、銀イオンは、電解により生成される銀イオンであることが好ましい。この場合、光照射による殺菌作用を向上させることができる。
【００２５】
また、この発明の繊維構造物の処理装置は、銀イオンを含む水を使用し、銀イオンを含む水に光を照射する光照射部を備える。
【００２６】
このようにすることにより、洗いやすすぎに用いられる水に銀イオンを含ませ、その水に光を照射することによって、洗い水やすすぎ水を効果的に殺菌することができる。
【発明の効果】
【００２７】
この発明によれば、殺菌対象となる収容部および／または繊維構造物を高温に加熱する必要がなく、必ずしも乾燥状態にする必要もなく、殺菌対象となる収容部および／または繊維構造物に劣化、退色等をもたらさないで、殺菌対象となる収容部および／または繊維構造物が損傷することがなく、衣類、布団、敷物等の繊維構造物の処理装置、たとえば、洗濯機、洗濯乾燥機、乾燥機等の繊維構造物の処理装置において、簡単な工程で殺菌効果を向上させることができ、十分な殺菌作用を得ることができる。
【発明を実施するための最良の形態】
【００２８】
前述した背景技術における問題点の検討に基づいて、本発明者は、さまざまな局面から繊維構造物の処理装置における殺菌方法を検討して鋭意研究を重ねた。その結果、銀イオンが付与された収容部および／または繊維構造物に、さらに光を照射することによって殺菌作用を向上させることができることを見出した。このような発明者の知見に基づいて本発明はなされたものである。
【００２９】
この発明に従った繊維構造物の処理装置の一つの実施の形態としての洗濯機、洗濯乾燥機、乾燥機等は、内部に衣類、布団、敷物等の繊維構造物を収容する、外槽、水槽、洗濯槽、脱水槽、洗濯兼脱水槽、回転槽、回転ドラム等と呼称される収容部に、および／または、収容部内に収容された繊維構造物に、銀イオンを付与する銀イオン付与部としての銀イオン水供給部等と、銀イオン付与部によって銀イオンが付与された収容部および／または繊維構造物に光を照射する光照射部とを備える。
【００３０】
この発明の繊維構造物の処理装置の一つの実施の形態においては、銀イオンが付与された収容部および／または繊維構造物に、さらに光を照射することによって殺菌作用を向上させることができる。また、乾燥工程等で、殺菌対象となる収容部および／または繊維構造物を加熱しないで、必ずしも乾燥状態にする必要もなく、銀イオンが付与された収容部および／または繊維構造物に光を照射するだけで殺菌作用を向上させることができる。さらに、銀イオンが付与された収容部および／または繊維構造物に光を照射するだけで、雑菌等の微生物の繁殖をより効果的に抑制することができる。なお、収容部および／または繊維構造物に銀イオンを付与するだけの従来の洗濯機、洗濯乾燥機等に比べて、本発明の繊維構造物の処理装置によれば、少ない銀の使用量で所定の殺菌作用を得ることができる。したがって、合成樹脂等からなる収容部を構成する部材、および／または、衣類、布団、敷物等の繊維構造体を殺菌処理することができ、殺菌対象となる物質が損傷することがなく、十分な殺菌作用を得ることができる。
【００３１】
銀イオン付与部としての銀イオン水供給部等とは、たとえば、洗濯用水に銀イオンを添加して洗濯用水に接触した繊維構造物としての洗濯物や収容部としての槽の各部位に銀イオンを付与するものである。具体的には、電解式の銀イオン溶出ユニットから、最終すすぎの給水に銀イオンを溶出することによって、収容部および／または繊維構造物に銀イオンを付与する。
【００３２】
洗濯用水とは、洗いやすすぎに使用される水や除湿のための冷却水など、たとえば、繊維構造物の処理装置の一例としての洗濯機において使用する流体全般をいう。洗濯用水に銀イオンを含ませることによって、洗いやすすぎなどの工程を実施することにより、洗濯物や洗濯機の槽内に銀イオンを付与することができる。
【００３３】
収容部および／または繊維構造物への銀イオンの付与は、銀イオンを含む水だけでなく、溶剤等の液体や超臨界流体等に物質を浸漬すること、銀イオンを含む水等の少量の液体を霧状に噴霧すること等によって行われてもよい。銀イオンを含む水等の液体は、銀を含む電極を用いた電解によって作製してもよく、電解によるもの以外に、水等の液体に浸漬することにより、銀イオンが徐放または溶解することができる構造を有する銀イオン含有物質を使用して作製してもよい。銀イオン含有物質の具体例としては、銀イオンを担持しているゼオライト、シリカゲル、ガラス、リン酸カルシウム、リン酸ジルコニウム、ケイ酸塩、酸化チタン、ウィスカー、セラミックス等、またはこれらの物質を含む樹脂や繊維等を挙げることができる。また、硝酸銀、塩化銀などの銀化合物を液体に溶解するなどしてもよい。
【００３４】
光照射部としては、蛍光灯、電球、発光ダイオード（ＬＥＤ）等を用いることができる。光照射部は、殺菌灯、紫外線（ＵＶ）ランプ等のように紫外域の光を主に含む光源、近紫外線を照射するブラックライト等のように近紫外域の光を主に含む光源、ハロゲンヒータ等のように赤外域の光を主に含む光源を含むように構成されてもよいが、蛍光灯、白熱灯、発光ダイオード（白色、青色、赤色、緑色などのＬＥＤ）、可視光レーザー等のように可視光を主に含む光源を用いて構成されるのが好ましい。
【００３５】
この発明の繊維構造物の処理装置の一つの実施の形態においては、光照射部が、可視光を主に含む光を照射することによって、殺菌作用をより向上させることができるとともに、紫外線による物質の劣化、黄変、退色等の損傷を防止することができる。
【００３６】
また、この発明の繊維構造物の処理装置の一つの実施の形態としての洗濯機、洗濯乾燥機等においては、衣類、布団、敷物等の繊維構造物を洗う洗い工程を行い、洗い工程の後に、銀イオン付与部によって銀イオンが付与された外槽、水槽、洗濯槽、脱水槽、洗濯兼脱水槽、回転槽、回転ドラム等と呼称される収容部および／または繊維構造物に、光照射部が光を照射することが好ましい。この場合、少なくとも洗い工程の後で、光照射部が収容部および／または繊維構造物に光を照射することによって、洗濯対象物としての繊維構造物、および／または、洗濯対象物を収容する収容部を殺菌処理することができ、殺菌対象となる物質が損傷することがなく、十分な殺菌作用を得ることができる。
【００３７】
さらに、この発明の繊維構造物の処理装置の一つの実施の形態としての洗濯機、洗濯乾燥機等においては、衣類、タオル、布団、敷物等の繊維構造物をすすぐすすぎ工程を行い、すすぎ工程の間に銀イオン付与部が外槽、水槽、洗濯槽、脱水槽、洗濯兼脱水槽、回転槽、回転ドラム等と呼称される収容部および／または繊維構造物に銀イオンを付与し、すすぎ工程の後に、銀イオン付与部によって銀イオンが付与された収容部および／または繊維構造物に、光照射部が光を照射することが好ましい。この場合、すすぎ工程の間に銀イオン付与部が収容部および／または繊維構造物に銀イオンを付与することができ、少なくともすすぎ工程の後で、光照射部が収容部および／または繊維構造物に光を照射することによって、洗濯対象物としての繊維構造物、および／または、洗濯対象物を収容する収容部を殺菌処理することができ、殺菌対象となる物質が損傷することがなく、十分な殺菌作用を得ることができる。
【００３８】
さらにまた、この発明の繊維構造物の処理装置の一つの実施の形態としての洗濯機、洗濯乾燥機等においては、衣類、布団、敷物等の繊維構造物から水を除去する脱水工程を行い、脱水工程の間に、および／または、脱水工程の後に、銀イオン付与部によって銀イオンが付与された外槽、水槽、洗濯槽、脱水槽、洗濯兼脱水槽、回転槽、回転ドラム等と呼称される収容部および／または繊維構造物に、光照射部が光を照射することが好ましい。この場合、繊維構造物から水を除去する脱水工程を行い、脱水工程の間に、および／または、脱水工程の後に、光照射部が収容部および／または繊維構造物に光を照射することによって、洗濯対象物としての繊維構造物、および／または、洗濯対象物を収容する収容部を殺菌処理することができ、殺菌対象となる物質が損傷することがなく、十分な殺菌作用を得ることができる。また、脱水工程の間に、および／または、脱水工程の後に、光照射部が収容部および／または繊維構造物に光を照射するので、収容部内に洗濯用水またはすすぎ用水が存在しないので、洗濯対象物としての繊維構造物、および／または、洗濯対象物を収容する収容部に対して効率的に光を照射することができる。特に、洗い工程中やすすぎ工程中には、槽内に水が貯水されているため、洗濯対象物に光を照射することができないが、脱水工程の排水が行なわれた後に光を照射することによって、効果的に洗濯対象物に光を照射することができる。
【００３９】
この発明の繊維構造物の処理装置の一つの実施の形態としての乾燥機、洗濯乾燥機等においては、衣類、布団、敷物等の繊維構造物を乾燥させる乾燥工程を行い、乾燥工程の間に、および／または、乾燥工程の後に、銀イオン付与部によって銀イオンが付与された外槽、水槽、洗濯槽、脱水槽、洗濯兼脱水槽、回転槽、回転ドラム、乾燥室等と呼称される収容部および／または繊維構造物に、光照射部が光を照射することが好ましい。この場合、繊維構造物を乾燥させる乾燥工程を行い、乾燥工程の間に、および／または、乾燥工程の後に、光照射部が収容部および／または繊維構造物に光を照射することによって、洗濯対象物としての繊維構造物、および／または、洗濯対象物を収容する収容部を殺菌処理することができ、殺菌対象となる物質が損傷することがなく、十分な殺菌作用を得ることができる。また、乾燥工程の間に、および／または、乾燥工程の後に、光照射部が収容部および／または繊維構造物に光を照射するので、洗濯乾燥機では収容部内に洗濯用水またはすすぎ用水が存在しないので、あるいは乾燥専用機では収容部内に水が存在しないので、乾燥対象物としての繊維構造物、および／または、乾燥対象物を収容する収容部に対して効率的に光を照射することができる。
【００４０】
なお、洗濯工程と乾燥工程を行うことが可能な繊維構造物の処理装置では、乾燥工程を行う場合、乾燥工程の間に、および／または、乾燥工程の後に光照射部が光を照射し、乾燥工程を行わない場合、脱水工程の間に、および／または、脱水工程の後に光照射部が光を照射するようにしてもよい。このようにすることによって、光照射の重複を避けることができる。
【００４１】
ところで、一般に水冷除湿機構を備えた乾燥機、洗濯乾燥機等の場合、低温である除湿部で空気中の水分の結露による除去を行い、その空気を高温部で加熱して相対湿度を低下させる。高温・低湿度となった空気を、洗濯物に接触させ、洗濯物から空気側に水分を移動させる。このようにして得られた湿った空気から、除湿部で、水分を除去する。この繰り返しにより、乾燥が実施される。したがって、水冷除湿機構を備えた乾燥装置においては、低温である除湿部と高温である高温部との飽和水蒸気量の差が大きければ大きいほど高効率となる。このため、除湿部と高温部との空気温度の差が大きければ大きいほどよい。
【００４２】
たとえば、除湿に水道水を使用する水冷除湿の場合、除湿温度が水温に依存する。このため、水温が３０℃以上になることもある夏場などは、除湿効果が十分でない場合がある。
【００４３】
そこで、この発明の繊維構造物の処理装置の一つの実施の形態としての乾燥機、洗濯乾燥機等において低温で乾燥工程を行うために、ヒートポンプ装置を採用することが考えられる。ヒートポンプ装置を採用した乾燥機、洗濯乾燥機等の場合、除湿部の温度を水温より低く設定することが可能であるので、水冷に比べ、除湿部の空気温度を低くすることができる。このため、高温部の空気温度を低くしても、高効率の乾燥を行うことができる。なお、水冷除湿機構を備えた乾燥機、洗濯乾燥機等であっても、乾燥工程を長時間行うことで、低温での乾燥が可能である。この場合の低温とは、３０〜８０℃程度、より好ましくは繊維構造物へのダメージも少なく、乾燥速度もあまり長すぎない４０〜６５℃程度である。
【００４４】
この発明の繊維構造物の処理装置のもう一つの実施の形態としては、上記のような低温で乾燥工程を行う乾燥機、洗濯乾燥機等が、銀イオン付与部と光照射部を備えてもよい。多くの微生物は、６５〜８０℃程度で死滅するが、低温で乾燥工程を行う場合、乾燥機内、洗濯乾燥機内がこの温度に達しない場合があるので、殺菌効果が不十分となる場合がある。しかし、本発明の繊維構造物の処理装置では、低温で乾燥工程を行っても、銀イオンが付与された収容部および／または繊維構造物に光を照射するだけで殺菌作用を向上させることができ、さらに、銀イオンが付与された収容部および／または繊維構造物に光を照射するだけで、雑菌等の微生物の繁殖をより効果的に抑制することができる。
【００４５】
また、ＬＥＤ、蛍光灯という光照射部は、温度が高い条件で使用すると、寿命が短くなってしまう。特に、ＬＥＤの場合、温度が高くなると、光出力が低下し、発光効率が低下し、その結果、消費電力が高くなるという問題も生じる。しかし、低温で光を照射すると、上記のような問題が生じるのを抑制することができ、光照射部の寿命を長くすることができ、消費電力を低くすることができる。
【００４６】
光を照射する際の温度は、たとえば、３０〜８０℃の温度で行うことが好ましく、４０〜６５℃の温度で行うのがさらに好ましい。また、この発明の繊維構造物の処理装置の一つの実施の形態としての乾燥機、洗濯乾燥機等の乾燥工程において低温で繊維構造物を乾燥させることによって、繊維構造物の乾燥による損傷を防止することができるとともに、低温下で殺菌作用を向上させることができる。
【００４７】
なお、この発明の繊維構造物の処理装置の一つの実施の形態においては、収容部から繊維構造物を取り出した後、光照射部が収容部に光を照射するようにしてもよい。
【００４８】
具体的には、繊維構造物の処理装置の一つの実施の形態として、たとえば、洗濯機、洗濯乾燥機等において、収容部に銀イオンが付与されるすすぎ工程の後の洗濯運転終了後または乾燥運転終了後、所定時間経過後に光の照射を停止させるようにする。これによって、槽内を殺菌したい場合に、洗濯物を取り出した後、効率的に所定時間、槽内に光を照射することができる。また、所定時間経過後に光の照射が停止するので、使用者が終了まで待機する必要がない。このとき、回転ドラム等の収容部を回転させること等によって、収容部内の空間に均一に光が照射されるようにしてもよい。また、収容部の全部または一部を、光照射手段から照射される光を反射させる機能を有する素材を用いることによって、収容部内の空間により均一に光を照射することができる。特に、回転ドラムのような可動部を、光を反射させる機能を有する素材から形成し、さらに可動部に凹凸を設けるなどすると、いろんな方向に光を反射させることができるため、より効果的である。
【００４９】
また、回転ドラム等の収容部の扉を開いて洗濯物を取り出し、扉を閉じた後に、光照射を開始してもよい。このようにすることによって、洗濯物が取り出された後に閉じられた空間で光の照射を開始することができる。
【００５０】
さらに、洗濯運転終了後または乾燥運転終了後だけではなく、少なくとも、収容部に銀イオンを付与するすすぎ工程の終了後、銀イオンが付与された収容部から洗濯物を取り出すために、洗濯機、洗濯乾燥機等の扉を開いた後、光照射を開始してもよい。このようにすることによって、使用者が洗濯物を取り出した後、扉を閉じなかった場合にも、光照射を実施することができる。このとき、使用者が光を浴びても問題がないように、照射される光は可視光であることが望ましい。
【００５１】
なお、この発明の繊維構造物の処理装置においては、収容部および／または繊維構造物に光を所定の照度以上で照射することが好ましい。この場合、所定の照度以上で物質に光を照射することによって殺菌作用をより向上させることができる。
【００５２】
以下、この発明の繊維構造物の処理装置の一つの実施の形態として、洗濯乾燥機について図に基づいて説明する。
【００５３】
以下、この発明の一つの実施の形態を図に基づいて説明する。
【００５４】
図３はこの発明の繊維構造物の処理装置の一つの実施の形態として洗濯乾燥機の概略的な構成を示す一つの側断面図、図４はもう一つの側断面を示す図である。
【００５５】
図３と図４に示すように、洗濯乾燥機１００は、本体１と、本体１の内部に取り付けられた収容部としての水槽２と、水槽２の内部で回転可能に支持された収容部としての回転ドラム３とを備える。
【００５６】
回転ドラム３の底には、モータ４で回転ドラム３を正逆に回転させる回転機構部が取り付けられている。回転ドラム３内の衣類を攪拌するためにバッフル５が回転ドラム３の内周壁面に取り付けられている。繊維構造物として衣類６を出し入れすることができ、かつ、気密性と水密性を保つためにドアユニット７が回転ドラム３の開口部に対して開閉可能に取り付けられている。ドアユニット７には、外部から衣類６の状態を視認することができるようにドアガラス７１が設けられている。
【００５７】
図３に示すように、乾燥装置は、循環ファン９と空気加熱ヒータ１０とを備える。空気加熱ヒータ１０は空気を加熱する。循環ファン９は、空気加熱ヒータ１０によって加熱された空気が衣類からの水分を蒸発させ、除湿するための経路として水槽２の内部、回転ドラム３の内部および冷却器８を連通して空気を循環させる。
【００５８】
光照射部として光照射ユニット２０は、主に可視光を含む光を照射する蛍光灯、白熱灯、ＬＥＤ等からなる光源２１を備えており、水槽２に設置され、水槽２の内周壁面と回転ドラム３の外周壁面および内周壁面３１と衣類６とに、矢印Ｐで示す方向に光を直接、照射することができるように構成されている。また、回転ドラム３の外周壁面および内周壁面３１には、光源２１から放射される光が通過し、衣類６を照射することができるように回転ドラム３の内部に貫通する多数の小孔３２が形成されている。光照射ユニット２０には、光源２１から放射された光を回転ドラム３の外周壁面および内周壁面３１に向かう方向へ反射させるために反射板２２が設けられている。また、光照射ユニット２０には、光源２１を洗濯用水と脱水される水とから保護するために光透過性が高い耐熱ガラス板２３が設けられている。光照射ユニット２０は、反射板２２が背面になるように水槽２の外周壁面に固着され、耐熱ガラス板２３が水槽２の外周壁面に密着固定されるようにして、取り付けられている。具体的には、耐熱性（熱絶縁性）と防水性を備えたシール材または接着剤等を用いて水槽２と耐熱ガラス板２３をシールした状態で、光照射ユニット２０が水槽２の外周壁面にビス等で固定されている。
【００５９】
なお、本実施形態では、光照射部を水槽２に設置したが、収容部および／または繊維構造物に光照射可能な箇所であればよく、たとえば、光照射部を収容部の扉部分などに設けて、収容部に光を照射するようにしてもよい。
【００６０】
図４に示すように、銀イオン付与部４０は、給水管４１と、給水管４１に接続された銀イオン溶出ユニット４２と、銀イオン溶出ユニット４２と水槽２の給水口との間を接続する給水経路４３とから構成される。銀イオン溶出ユニット４２の内部には、２枚の板状の銀電極が間隔をおいて配置されている。給水管４１を通じて銀イオン溶出ユニット４２の内部に水を供給し、銀電極間に電圧を印加することにより、銀イオン溶出ユニット４２の内部に銀イオンが溶出する。銀イオンを含む水は、給水経路４３を通じて水槽２の内部に供給される。これにより、収容部としての水槽２の内周壁面と回転ドラム３の外周壁面および内周壁面３１と繊維構造物としての衣類６とに銀イオン水が付与される。
【００６１】
次に、以上のようにして構成された本発明の洗濯乾燥機の概略的な動作について説明する。
【００６２】
図示しない制御部の信号により、モータ４が正逆に回転し、モータ４に直接に接続された回転ドラム３も同様に正逆に回転する。この回転により、回転ドラム３内の内周壁面に固定して設けられたバッフル５が衣類６を持ち上げ、下方に落下させる動作を繰り返すことにより、洗い工程は行なわれる。このようにして、洗い工程が、いわゆる叩き洗い効果を利用して行なわれる。
【００６３】
洗い工程が終了すると、排水ポンプ１１を駆動させて水槽２内の水は排水ホース１２から排出される。その後、すすぎ工程、脱水工程へ移行して洗濯工程が終了する。
【００６４】
洗濯工程を終了し、乾燥運転を開始すると、回転ドラム３の正逆の回転により、衣類６の上下運動による攪拌作用が起きるとともに、循環ファン９と空気加熱ヒータ１０に電力が供給され、空気温度が上昇する。この加熱空気によって加熱された衣類から水分が蒸発して冷却器８内へ流入する。冷却器８内には、対向配置された上方の冷却水入口管１３から冷却水が供給されているので、蒸発した水分が冷却されて凝縮する。この凝縮水は、排水ポンプ１１側へ流れて冷却水と混合して排水される。除湿された空気は再び空気加熱ヒータ１０に還流して加熱される。加熱空気は回転ドラム３内に流入して衣類６を加熱して、衣類６に含まれている水分を蒸発させる。この繰り返しによって衣類６の乾燥が進行する。この乾燥工程で用いられる衣類の加熱源は空気加熱ヒータ１０である。一般的に空気加熱ヒータ１０は、空気循環ダクト内に設けられ、抵抗発熱線を金属被覆して形成されたシーズヒータが用いられる。
【００６５】
次に、フローチャートを用いて洗濯乾燥機１００の動作を順に説明する。
【００６６】
まず、図３と図４に示すように、使用者は、ドアユニット７を開け、回転ドラム３の中に洗濯物として衣類６を入れるとともに、給水口の洗剤室（図示せず）に洗剤を入れる。必要であるなら、使用者は、仕上剤室（図示せず）に仕上剤を入れる。仕上剤は、洗濯工程の途中で入れてもよい。
【００６７】
洗剤の投入準備を整えた後、使用者は、ドアユニット７を閉じ、操作パネルの操作スイッチ部の操作ボタン群（図示せず）を操作して洗濯条件（洗濯モード）を選ぶ。最後に、使用者がスタートボタンを押せば、制御部（図示せず）によって、図５〜図１４に示すフローチャートに従い、上記の洗濯モードに応じた洗濯工程が遂行される。
【００６８】
図５は洗濯工程全体を示すフローチャートである。図５に示すように、まず、ステップＳ１０１では、洗い工程の選択がなされているかどうかを確認する。選択がなされていれば、ステップＳ２００に進む。ステップＳ２００の洗い工程の内容は、別途、図６に示すフローチャートを用いて説明する。洗い工程終了後は、ステップＳ１０２に進む。一方、ステップＳ１０１にて、洗い工程の選択がなされていなければ、直ちにステップＳ１０２に進む。
【００６９】
ステップＳ１０２では、すすぎ工程の選択がなされているかどうかを確認する。選択されていれば、ステップＳ１０３に進む。
【００７０】
ステップＳ１０３では、除菌コースの選択がなされているかどうかを確認する。選択されていれば、ステップＳ４００に進む。一方、ステップＳ１０３にて、除菌コースの選択がなされていなければ、ステップＳ３００に進む。
【００７１】
ステップＳ４００の銀除菌すすぎ工程の内容は、別途、図８に示すフローチャートを用いて説明する。ステップＳ３００のすすぎ工程の内容は、別途、図７に示すフローチャートを用いて説明する。なお、すすぎ工程は、複数回にわたってもよい。すすぎ工程終了後は、ステップＳ５００に進む。一方、ステップＳ１０２にて、すすぎ工程の選択がなされていなければ、直ちにステップＳ５００に進む。
【００７２】
ステップＳ５００の脱水乾燥選択工程の内容は、別途、図９に示すフローチャートを用いて説明する。脱水乾燥選択工程終了後は、ステップＳ１０４に進む。
【００７３】
ステップＳ１０４では、制御部による終了処理が手順に従って自動的に進められる。また、ステップＳ１０５にて、制御部は、洗濯工程が完了したことを終了音で使用者に報知する。すべての処理が終了した後、使用者はドアユニット７を開けて洗濯物を取り出し、ドアユニット７を閉じた後に、洗濯乾燥機１００は、次の洗濯工程に備えて待機状態に戻るが、除菌コースの選択がなされている場合には、ステップＳ１０００の槽内殺菌工程を行った後、次の洗濯工程に備えて待機状態に戻る。ステップＳ１０００の槽内殺菌工程の内容は、別途、図１４に示すフローチャートを用いて説明する。
【００７４】
次に、上記の洗濯工程のうち、洗い工程、すすぎ工程、銀除菌すすぎ工程、脱水乾燥選択工程、槽内殺菌工程の各個別工程の詳細について、図６〜図１４に基づいて説明する。
【００７５】
まず、洗い工程について説明する。
【００７６】
図６は、洗い工程を示すフローチャートである。図６に示すように、ステップＳ２０１では、水位センサの検知している回転ドラム３内の水位データのとり込みが行われる。ステップＳ２０２では、容量センシングの選択がなされているかどうかを確認する。容量センシングが選択されていれば、ステップＳ２０３に進む。ステップＳ２０３では、回転ドラム３の回転負荷により洗濯物の量を測定する容量センシングを行う。そして、容量センシング後は、ステップＳ２０４に進む。一方、ステップＳ２０２にて、容量センシングが選択されていなければ、直ちにステップＳ２０４に進む。
【００７７】
ステップ２０４では、メイン給水弁（図示せず）が開き、メイン給水管および給水口を通じて回転ドラム３に水が注がれる。正確には、水槽２に水が注がれ、その水が小孔３２を通じて回転ドラム３内に浸入する。給水口の洗剤室に入れられた洗剤も水に混じって回転ドラム３に投入される。このとき、排水弁は閉じられている。水位センサが設定水位を検知したら、メイン給水弁は閉じられる。そして、ステップＳ２０５に進む。
【００７８】
ステップＳ２０５では、なじませタンブリングを行う。このなじませタンブリングでは、回転ドラム３が低速で回転し、洗濯物である衣類６を水から出しては再び水の中に落下させて、衣類６に水を十分に吸収させる。また、衣類６の各所にとらわれていた空気を逃がす。
【００７９】
なじませタンブリングの後、ステップＳ２０６に移る。ステップＳ２０６では、回転ドラム３が洗いタンブリングのパターンで回転し、衣類６を高く持ち上げては落下させる。この落下時の衝撃により、衣類６の繊維の間に水の噴流が発生し、衣類６が洗われる。
【００８０】
洗いタンブリングの期間が経過した後、ステップＳ２０７に進む。ステップＳ２０７では、回転ドラム３がゆるやかに回転する。回転ドラム３がゆるやかに回転した場合、衣類６は高い位置に持ち上げられる前に、低い位置で回転ドラム３から離れて落下する。
【００８１】
ここで、衣類６が高い位置から落下した場合には、衣類６は回転ドラム３の内周壁面にたたきつけられ、内周壁面にぺたりとへばりつく。このため、回転ドラム３が高速の脱水回転を始めたとき、アンバランスが解消されにくい。
【００８２】
これに対して、衣類６が低い位置で回転ドラム３の内周壁面から離れた場合、衣類６はたたきつけられるというよりもむしろ転がるような感じになり、衣類６同士が比較的ふんわりと重なる。この状態であれば、回転ドラム３が高速の脱水回転を始めたときに、衣類６が四方に分散しやすい。すなわち、バランスをとりやすい。このため、回転ドラム３をゆるやかに回転させて衣類６をほぐし、脱水回転に備える。
【００８３】
次に、図７に示すフローチャートに基づいて、すすぎ工程の内容について説明する。
【００８４】
まず、ステップＳ６００の脱水工程（ここでは、すすぎ工程の中の脱水工程であるため、中間脱水工程と称する）が行われるが、これについては、図１０に示すフローチャートで説明する。ステップＳ６００での中間脱水工程終了後は、ステップＳ３０１に進む。ステップＳ３０１では、メイン給水弁が開き、設定水位まで給水が行われる。
【００８５】
給水後、ステップＳ３０２に進む。ステップＳ３０２では、なじませタンブリングが行われる。なじませタンブリングは、洗い工程のステップＳ２０５で行った工程と同様である。
【００８６】
なじませタンブリングの後は、ステップＳ３０３に進む。使用者の設定に従い、回転ドラム３は、すすぎタンブリングのパターンで回転する。回転ドラム３は、回転により衣類６を水にくぐらせ、また上の方に持ち上げては落下させる。これにより、衣類６のすすぎが行われる。
【００８７】
すすぎタンブリングの期間が経過した後、ステップＳ３０４に移る。ステップＳ３０４では、回転ドラム３がゆるやかに回転して衣類６をほぐし、脱水回転に備える。
【００８８】
なお、上記の説明では、回転ドラム３の中にすすぎ水をためておいてすすぎを行う「ためすすぎ」を実行しているが、常に新しい水を補給する注水すすぎ、あるいは衣類６に水のシャワーを注ぎかけるシャワーすすぎを行ってもよい。
【００８９】
次に、図８に示すフローチャートに基づいて、銀除菌すすぎ工程の内容について説明する。図７に示すＳ３００のすすぎ工程と異なる点は、ステップＳ６００での中間脱水工程終了後にステップＳ４０１に進み、ステップＳ４０１では、給水弁が開き、給水管４１を通じて設定水位まで給水が行われるが、銀イオン水が供給されることである。図４に示すように、給水管４１を通じて銀イオン溶出ユニット４２の内部に水を供給し、銀電極間に電圧を印加することにより、銀イオン溶出ユニット４２の内部に銀イオンが溶出する。銀イオンを含む水は、給水経路４３を通じて水槽２の内部に供給される。これにより、収容部としての水槽２の内周壁面と回転ドラム３の外周壁面および内周壁面３１と繊維構造物としての衣類６とに銀イオン水が付与される。
【００９０】
銀除菌すすぎ工程における他のステップＳ４０２〜Ｓ４０４は、すすぎ工程におけるステップＳ３０２〜Ｓ３０４と同様である。
【００９１】
次に、図９に示すフローチャートに基づいて、脱水乾燥選択工程の内容について説明する。図９に示すように、まず、ステップＳ５０１では、除菌処理の選択がなされているかどうかを確認する。選択がなされていれば、ステップＳ５０２に進む。一方、ステップＳ５０１にて、除菌処理の選択がなされていなければ、ステップＳ５０５に進む。
【００９２】
ステップＳ５０２では、脱水工程の選択がなされているかどうかを確認する。選択されていれば、ステップＳ５０３に進む。
【００９３】
ステップＳ５０３では、乾燥工程の選択がなされているかどうかを確認する。選択されていれば、ステップＳ６００に進む。
【００９４】
ステップＳ６００の脱水工程の内容は、別途、図１０に示すフローチャートを用いて説明する。脱水工程終了後は、ステップＳ９００に進む。一方、ステップＳ５０３にて、乾燥工程の選択がなされていなければ、ステップＳ７００に進む。
【００９５】
ステップＳ７００の光照射脱水工程の内容は、別途、図１１に示すフローチャートを用いて説明する。ステップＳ９００の光照射乾燥工程の内容は、別途、図１３に示すフローチャートを用いて説明する。
【００９６】
ステップＳ５０２にて、脱水工程の選択がなされていなければ、ステップＳ５０４に進む。
【００９７】
ステップＳ５０４では、乾燥工程の選択がなされているかどうかを確認する。選択されていれば、ステップＳ９００に進む。一方、ステップＳ５０４にて、乾燥工程の選択がなされていなければ、脱水乾燥選択工程を終了する。
【００９８】
ステップＳ５０５では、脱水工程の選択がなされているかどうかを確認する。選択されていれば、ステップＳ６００に進む。
【００９９】
ステップＳ６００の脱水工程の内容は、別途、図１０に示すフローチャートを用いて説明する。脱水工程終了後は、ステップＳ５０６に進む。一方、ステップＳ５０５にて、脱水工程の選択がなされていなければ、直ちにステップＳ５０６に進む。
【０１００】
ステップＳ５０６では、乾燥工程の選択がなされているかどうかを確認する。選択されていれば、ステップＳ８００に進む。
【０１０１】
ステップＳ８００の乾燥工程の内容は、別途、図１２に示すフローチャートを用いて説明する。乾燥工程終了後は、脱水乾燥選択工程を終了する。一方、ステップＳ５０６にて、乾燥工程の選択がなされていなければ、脱水乾燥選択工程を終了する。
【０１０２】
次に、図１０に示すフローチャートに基づいて、脱水工程の内容について説明する。
【０１０３】
まず、ステップＳ６０１で排水弁が開く。これにより、回転ドラム３の中の洗濯用水またはすすぎ用水は、排水弁を通じて排水される。排水弁は、脱水工程中は開いたままである。
【０１０４】
所定時間が経過し、衣類６から大部分の水が抜けたところで、回転ドラム３が脱水回転を開始する。回転ドラム３が高速で回転すると、衣類６は遠心力で回転ドラム３の内周壁面に押しつけられる。これにより、衣類６に含まれていた水も、回転ドラム３の内周壁面に集まり、小孔３２から放出される。小孔３２を離れた洗濯用水またはすすぎ用水は、水槽２の内周壁面にたたきつけられ、水槽２の内周壁面を伝って水槽２の底部に流れ落ちる。そして、水は排水ホース１２を通って、本体１の外に排出される。
【０１０５】
図１０に示すシーケンスでは、ステップＳ６０２とステップＳ６０３にて比較的低速の脱水運転を行った後、ステップＳ６０４とステップＳ６０５にて高速の脱水運転を行う。ステップＳ６０５の後は、ステップＳ６０６に移行する。ステップＳ６０６では、モータ４への通電を断つとともにブレーキを働かせることなく、回転ドラム３を慣性で回転させ、自然停止に至らせる。
【０１０６】
次に、図１１に示すフローチャートに基づいて、光照射脱水工程の内容について説明する。図１０に示すＳ６００の脱水工程と異なる点は、ステップＳ７０２の排水の前にステップＳ７０１にて光照射を開始し、ステップＳ７０７の慣性脱水の後にステップＳ７０８にて光照射を停止することである。ステップＳ７０１にて、図３に示すように、光照射部として光照射ユニット２０は、主に可視光を含む光を照射する蛍光灯、白熱灯、ＬＥＤ等からなる光源２１から、水槽２の内周壁面と回転ドラム３の外周壁面および内周壁面３１と衣類６とに、矢印Ｐで示す方向に光を直接、照射するように制御部が光照射を開始させる。光照射脱水工程における他のステップＳ７０２〜Ｓ７０７は、脱水工程におけるステップＳ６０１〜Ｓ６０６と同様である。脱水工程が終了すると、ステップＳ７０８にて、制御部が光照射を終了させる。このようにして、銀イオン水が付与された水槽２の内周壁面と回転ドラム３の外周壁面および内周壁面３１と衣類６とに、脱水工程の間に光を照射することによって、水槽２の内周壁面と回転ドラム３の外周壁面および内周壁面３１と衣類６とを殺菌処理することができる。なお、ステップＳ７０２〜Ｓ７０７の脱水工程の後に、ステップＳ７０１とＳ７０８に従って光を照射してもよい。この場合、間欠的に回転ドラム３を回転させるのが好ましい。
【０１０７】
次に、図１２に示すフローチャートに基づいて、乾燥工程の内容について説明する。図１２に示すように、ステップＳ８０１にて除湿・乾燥を行う。具体的には、図３に示すように、回転ドラム３の正逆の回転により、衣類６の上下運動による攪拌作用が起きるとともに、循環ファン９と空気加熱ヒータ１０に電力が供給され、空気温度が上昇する。この加熱空気によって加熱された衣類から水分が蒸発して冷却器８内へ流入する。冷却器８内には、冷却水入口管１３から冷却水が供給されているので、蒸発した水分が冷却されて凝縮する。この凝縮水は、排水ポンプ１１側へ流れて冷却水と混合して排水される。除湿された空気は再び空気加熱ヒータ１０に還流して加熱される。加熱空気は回転ドラム３内に流入して衣類６を加熱して、衣類６に含まれている水分を蒸発させる。この繰り返しによって衣類６の乾燥が進行する。
【０１０８】
洗濯乾燥機１００は水冷除湿機構を備えており、上述したように除湿・乾燥が行われるが、低温で乾燥工程を行うために、水冷除湿機構の代わりにヒートポンプ装置を備えていてもよい。ヒートポンプ装置を採用した洗濯乾燥機の場合、除湿部の温度を水温より低く設定することが可能であるので、水冷に比べ、除湿部の空気温度を低くすることができる。このため、高温部の空気温度を低くしても、高効率の乾燥を行うことができる。なお、水冷除湿機構を備えた洗濯乾燥機１００であっても、乾燥工程を長時間行うことで、低温での乾燥が可能である。この場合の低温とは、３０〜８０℃程度、好ましくは４０〜６５℃程度である。
【０１０９】
除湿・乾燥を所定時間行った後、ステップＳ８０２にて停止処理を行い、乾燥工程を終了する。
【０１１０】
次に、図１３に示すフローチャートに基づいて、光照射乾燥工程の内容について説明する。図１２に示すＳ８００の乾燥工程と異なる点は、ステップＳ９０２の除湿乾燥の前にステップＳ９０１にて光照射を開始し、ステップＳ９０３の停止処理の後にステップＳ９０４にて光照射を停止することである。ステップＳ９０１にて、図３に示すように、光照射部として光照射ユニット２０は、主に可視光を含む光を照射する蛍光灯、白熱灯、ＬＥＤ等からなる光源２１から、水槽２の内周壁面と回転ドラム３の外周壁面および内周壁面３１と衣類６とに、矢印Ｐで示す方向に光を直接、照射するように制御部が光照射を開始させる。光照射乾燥工程における他のステップＳ９０２〜Ｓ９０３は、乾燥工程におけるステップＳ８０１〜Ｓ８０２と同様である。乾燥工程が終了すると、ステップＳ９０４にて、制御部が光照射を終了させる。このようにして、銀イオンが付与された水槽２の内周壁面と回転ドラム３の外周壁面および内周壁面３１と衣類６とに、乾燥工程の間に光を照射することによって、水槽２の内周壁面と回転ドラム３の外周壁面および内周壁面３１と衣類６とを殺菌処理することができる。なお、ステップＳ９０２〜Ｓ９０３の乾燥工程の後に、ステップＳ９０１とＳ９０４に従って光を照射してもよい。この場合、間欠的に回転ドラム３を回転させるのが好ましい。
【０１１１】
最後に、図１４に示すフローチャートに基づいて、槽内殺菌工程の内容について説明する。ステップＳ１００１にて光照射を開始し、ステップ１００２にて光照射を停止することである。ステップＳ１００１にて、図３に示すように、光照射部として光照射ユニット２０は、主に可視光を含む光を照射する蛍光灯、白熱灯、ＬＥＤ等からなる光源２１から、水槽２の内周壁面と回転ドラム３の外周壁面および内周壁面３１に、矢印Ｐで示す方向に光を直接、照射するように制御部が光照射を開始させる。所定時間の光照射の後、ステップＳ１００２にて、制御部が光照射を終了させる。このようにして、銀イオンが付与された水槽２の内周壁面と回転ドラム３の外周壁面および内周壁面３１とに、運転が終了した後に光を照射することによって、水槽２の内周壁面と回転ドラム３の外周壁面および内周壁面３１とを殺菌処理することができる。
【０１１２】
なお、この発明の繊維構造物の処理装置の一つの実施の形態においては、回転ドラム３から衣類６を取り出した後、上記の槽内殺菌工程にて、光照射ユニット２０が水槽２の内周壁面と回転ドラム３の外周壁面および内周壁面３１とに光を照射するようにしてもよく、回転ドラム３から衣類６を取り出す前に、上記の槽内殺菌工程にて、光照射ユニット２０が衣類６と水槽２の内周壁面と回転ドラム３の外周壁面および内周壁面３１とに光を照射するようにしてもよい。
【０１１３】
また、ステップＳ７００の光照射脱水工程にて光照射が開始され、その後、洗濯運転を終了させる場合には、洗濯運転終了後、所定時間経過後に光の照射を停止させるようにしてもよい。また、ステップＳ９００の光照射乾燥工程にて光照射が開始され、その後、乾燥運転を終了させる場合には、乾燥運転終了後、所定時間経過後に光の照射を停止させるようにしてもよい。このようにすることによって、槽内を殺菌したい場合に、洗濯運転終了後または乾燥運転終了後に、回転ドラム３から衣類６を取り出した後、効率的に所定時間、槽内に光を照射することができる。また、所定時間経過後に光の照射が停止するので、使用者が終了まで待機する必要がない。このとき、回転ドラム３を回転させること等によって、水槽２の内周壁面と回転ドラム３の外周壁面および内周壁面３１だけでなく、槽内の空間に均一に光が照射されるようにしてもよい。
【０１１４】
さらに、ドアユニット７を開いて回転ドラム３から衣類６を取り出し、ドアユニット７を閉じた後に、光照射を開始してもよい。このようにすることによって、衣類６が取り出された後に閉じられた空間で光の照射を開始することができる。
【０１１５】
さらに、洗濯運転終了後または乾燥運転終了後だけではなく、少なくとも、回転ドラム３等に銀イオンを付与するすすぎ工程の終了後、回転ドラム３から衣類６を取り出すために、ドアユニット７を開いた後、そのままの状態で光照射を開始してもよい。このようにすることによって、使用者が衣類６を取り出した後、ドアユニット７を閉じなかった場合にも、光照射を実施することができる。このとき、使用者が光を浴びても問題がないように、照射される光は可視光であることが望ましい。
【０１１６】
なお、この発明の繊維構造物の処理装置の実施の形態として、洗濯乾燥機、乾燥専用機等を乾燥目的のみで用いる場合に、衣類、布団、敷物等の繊維構造物に予め銀イオン水を付与して、その繊維構造物を収容部に入れて、乾燥工程の間に光照射を行ってもよい。また、この発明の繊維構造物の処理装置の実施の形態として、洗濯機、洗濯乾燥機等を脱水目的のみで用いる場合に、水を含む衣類、布団、敷物等の繊維構造物に予め銀イオン水を付与して、その繊維構造物を収容部に入れて、脱水工程の間に光照射を行ってもよい。
【実施例】
【０１１７】
本発明の繊維構造物の処理装置における殺菌方法の一つの実施例として、繊維構造物を構成する物質の一例としてポリエステルを用いて、銀イオンをポリエステルに付着させた後に、各種の光を照射することによって殺菌効果の有無を調べた。
【０１１８】
具体的には、銀イオンを付着させた試料に光を照射した後の抗菌効果の試験を行った。
【０１１９】
この試験に用いた試料は、ポリエステルに銀イオン水を付着させ、乾燥させたものである。銀イオン水は、八尾市の水道水を用いて、銀電極から電解によって水中に銀イオンを溶出することによって作製した。
【０１２０】
光照射条件を、白色蛍光灯、ブラックライト、光照射なしの３条件とし、試料の表面への銀付着量を０(銀イオン水の付着処理なし)、５、１０、２０ｎｇ／ｃｍ２とした。抗菌試験は、抗菌製品技術協議会の光照射フィルム密着法にて行った。この方法は、試料に約１．０×１０５ＣＦＵの菌を含む菌液を付着させ、照射時間として２４時間経過した後の菌数を測定する方法である。菌としては、黄色ブドウ球菌を用いた。白色蛍光灯は、２０Ｗのものを使用し、サンプル付近の明るさ（照度）が５０００ルクスとなる距離にサンプルを置いた。ブラックライトも同様に２０Ｗのものを使用し、光源とサンプルの距離は、白色蛍光灯でサンプル付近の明るさ（照度）が５０００ルクスとなった位置と同じ距離にした。
【０１２１】
その結果を表１と図１に示す。表１は、各光照射条件と銀付着量毎の試験後の菌数（単位：ＣＦＵ）との関係を示す。図１は、試料への銀付着量と試料に存在する菌数との関係を示すグラフである。なお、グラフは、菌数の測定値が下限値（１０ＣＦＵ）以下の時の菌数を１０ＣＦＵとみなして作図している。
【０１２２】
【表１】
2008049109.tif 000003
【０１２３】
表１と図１に示したように、光を照射しなくても、銀付着量が２０ｎｇ／ｃｍ２であれば、十分な殺菌作用が認められた。この試料では、表面に銀イオン水の蒸発残留物が付着し、それが菌液を滴下した時に再度溶解し、銀イオンによる殺菌作用が発揮されたと考えられる。
【０１２４】
また、光を照射することによって、殺菌作用が向上していることがわかる。銀付着量が１０ｎｇ／ｃｍ２の試料では、ブラックライト、白色蛍光灯の照射で殺菌作用が向上しているが、銀付着量が５ｎｇ／ｃｍ２のような銀付着量が少ない条件では、主に可視光を含む白色蛍光灯を照射する方が、主に近紫外光を含むブラックライトを照射するよりも殺菌作用が向上することが認められた。
【０１２５】
本試験方法では、前述のように乾燥したサンプルに菌液という形で水を加えて評価している。そのため、表面に付着した銀イオン水の蒸発残留物が、溶解して銀イオンとなり、その銀イオンに光が照射されることにより、殺菌作用が向上したものと考えられる。
【０１２６】
基本的には、完全に乾燥した条件（たとえば水分活性が０．５以下となるような条件）では菌は死滅する。しかし、一般環境中においては、そこまで乾燥されることはない。
【０１２７】
例えば乾燥機などで十分に乾燥した洗濯物であっても、繊維の分子の表面や結晶内に水分を含んでいる。そのため、特に湿潤な環境でなくても、一般環境中では至る所に菌が生息している。特に低温で乾燥したものであれば、このような形で含まれる水分はより大きい。
【０１２８】
従って、乾燥したサンプルにおける殺菌作用の評価方法として、水を加えることは、ＪＩＳ  Ｚ２８０１、ＪＩＳ  Ｌ１９０２などでも行われている一般的な方法であり、不適切な方法ではない。
【０１２９】
また、本発明において乾燥した物が殺菌の対象であっても、菌が生存できる環境であれば、水分が存在するため、本試験で確認された効果も発揮される。菌が生存できない程度に完全に乾燥した環境であれば殺菌する必要はなく、問題ない。
【０１３０】
また、上記の試験にて、銀付着量が５ｎｇ／ｃｍ２の試料に、主に可視光を含む白色蛍光灯を照射し、その照度（ルクス）を変化させた場合において試験後の菌数（単位：ＣＦＵ）の変化を調べた。その結果を図２に示す。図２は、白色蛍光灯の照度と試料に存在する菌数との関係を示すグラフである。
【０１３１】
図２に示すように、光照射なしのときの菌数は８．０×１０４ＣＦＵであるのに対して、照度が１０００ルクスのときの菌数は３．２０×１０３ＣＦＵであり、照度が５０００ルクスのときの菌数は１０ＣＦＵ以下程度であった。このように、光の強度（照度）によって本発明による殺菌作用に変化が認められた。銀イオンを付着させた物質に少なくとも所定の照度以上で光を照射することにより、殺菌作用をより向上させることができることがわかる。
【０１３２】
また、グラフから読み取ると、光照射なしに対して菌数が２桁減少するのは１９００ルクス付近であった。今回実施した光照射フィルム密着法では、抗菌効果の有無の判定を菌数が２桁減少しているか否かで判定する。また、菌数が２桁減少するというのは、ＪＩＳ  Ｚ２８０１やＪＩＳ  Ｌ１９０２などでも用いられており、一般的な抗菌効果の判断基準である。従って、殺菌作用を向上させるという観点から、所定の照度以上で光を照射するのが望ましいが、照射対象の位置での照度が１９００ルクス以上であれば、より望ましい。
【０１３３】
さらに、上記の試験にて、銀付着量が５ｎｇ／ｃｍ２の試料に、主に可視光を含む白色蛍光灯を照度５０００ルクスで照射し、その照射時間を変化させた場合（銀あり光あり）において試験後の菌数（単位：ＣＦＵ）の経時変化を調べた。比較として、銀付着量が５ｎｇ／ｃｍ２の試料に光を照射しない状態で時間を経過させたもの（銀あり光なし）、銀イオンを付着させないで白色蛍光灯を照度５０００ルクスで照射し、その照射時間を変化させたもの（銀なし光あり）、銀イオンを付着させないで光も照射しない状態で時間を経過させたもの（銀なし光なし）についても、菌数の経時変化を調べた。その結果を図１５に示す。図１５は、経過時間と試料に存在する菌数との関係を示すグラフである。
【０１３４】
図１５に示すように、銀付着量が５ｎｇ／ｃｍ２の試料に、主に可視光を含む白色蛍光灯を照度５０００ルクスで照射し、その照射時間を変化させた場合（銀あり光あり）、非常に短時間の照射時間（１時間）で菌数が減少していることがわかる。したがって、洗濯機または洗濯乾燥機の運転中などで光を照射することによって殺菌作用を向上させることができる。たとえば、洗濯乾燥機の乾燥工程で光を照射することが好ましい。
【０１３５】
さらにまた、上記の試験にて、試料に付着される銀イオンの生成方法を異ならせた場合において試験後の菌数（単位：ＣＦＵ）を調べた。銀イオンの生成方法としては、上記の試験と同様に、水道水に浸漬した銀電極から電解（電気分解）によって水中に銀イオンを溶出することによって得られた銀イオン水（電解銀イオン水）を使用して作製した試料と、試薬の塩化銀（ＡｇＣｌ）を水に溶かして得られた銀イオン水（ＡｇＣｌ水溶液）を使用して作製した試料と、試薬の酸化銀（Ａｇ２Ｏ）を水に溶かして得られた銀イオン水（Ａｇ２Ｏ水溶液）を使用して作製した試料とを用いた。各試料の銀付着量を５ｎｇ／ｃｍ２とした。各試料に、主に可視光を含む白色蛍光灯を照度５０００ルクスで照射し、照射時間として２４時間経過した後の菌数を調べた。比較として、各試料に光を照射しない状態で２４時間経過した後の菌数も調べた。その結果を図１６に示す。図１６は、付着される銀イオンの生成方法の種類と試料に存在する菌数との関係を示すグラフである。
【０１３６】
図１６に示すように、電解銀イオン水を使用して銀イオンを付着させた試料では、ＡｇＣｌ水溶液、Ａｇ２Ｏ水溶液を使用して銀イオン水を付着させた試料に比べて、光照射後の菌数の減少の度合いが大きく、光照射後に最も菌数が減少していることがわかる。
【０１３７】
次に、銀イオン水に菌液を添加したものに光を照射する試験を実施した。照射する光の光源としては、白色蛍光灯を用い、サンプルの位置での照度が１００００ルクスとなるように配置した。光の照射時間は１０分間とし、菌としては緑膿菌を用いた。所定の量の菌を含む銀イオン水を、可視光を透過する容器に入れ、１０分間の光の照射を行った。また、光を照射しない場合の試験も同時に実施するため、同じ容器に同じ菌を含む銀イオン水を入れ、アルミニウムホイルで完全に光を遮断し、他は同じ条件で試験を実施した。試験実施中のサンプル付近の温度は２６℃であった。また、この試験では、オートクレーブによって滅菌した水道水を用い、その水に浸漬した銀電極から電解（電気分解）によって水中に銀イオンを溶出することによって得られた銀イオン水を用いた。銀イオン濃度は、０、３０、９０ｐｐｂとした。
【０１３８】
この試験の結果を図１７と表２に示す。図１７は、光照射の有無による各銀イオン濃度と菌数との関係を示す図である。また、表２は、光照射の有無による各銀イオン濃度と菌数との関係において、光を照射しないときの菌数を１００％とした場合に光を照射したときの菌数を％で示す。
【０１３９】
【表２】
2008049109.tif 000004
【０１４０】
図１７と表２に示す結果から、銀イオン濃度が０ｐｐｂでは、光の照射の有無に関わらず、初期菌数とほとんど変化がないが、銀イオン濃度が高くなるにつれて、銀による殺菌効果とともに、光の照射による殺菌効果も増大していることがわかる。
【０１４１】
なお、この試験において、光源からの光の紫外線強度は２μＷ／ｃｍ２で、紫外線単独による殺菌効果はない。
【０１４２】
このように、銀イオン水に光を照射することによって、水に対する殺菌の効果を向上させることができる。したがって、本発明の繊維構造物の処理装置としての洗濯機において、洗いやすすぎに用いられる水に銀イオンを含ませ、その水に光照射部が光を照射することによって、洗い水やすすぎ水を効果的に殺菌することができる。このような効果は、風呂水などの菌を含む水を洗濯に使用する際に特に有効である。
【０１４３】
また、このような殺菌作用は、乾燥させずに銀イオン水が付着したままの試料に光を照射しても、銀イオン水には、今回の試験条件と同様に銀イオンが含まれているので、同様の殺菌作用の向上が得られると考えられる。したがって、銀イオン水に浸漬した状態の布等の繊維構造体に光を照射しても殺菌作用を向上させることができ、たとえば、すすぎ工程にて銀イオン水を付着させた洗濯物や、銀イオン水が付着した洗濯槽や水槽などの洗濯機内の部材に、光を照射しても殺菌作用を向上させることができると考えられる。
【０１４４】
以上に開示された実施の形態や実施例はすべての点で例示であって制限的なものではないと考慮されるべきである。本発明の範囲は、以上の実施の形態や実施例ではなく、特許請求の範囲によって示され、特許請求の範囲と均等の意味および範囲内でのすべての修正や変形を含むものである。
【産業上の利用可能性】
【０１４５】
この発明に従った繊維構造物の処理装置は、衣類、布団、敷物等の繊維構造体の処理装置として、たとえば、洗濯機、洗濯乾燥機、乾燥機等に適用することができる。
【図面の簡単な説明】
【０１４６】
【図１】試料への銀付着量と試料に存在する菌数との関係を示すグラフである。
【図２】白色蛍光灯の照度と試料に存在する菌数との関係を示すグラフである。
【図３】この発明の繊維構造物の処理装置の一つの実施の形態として洗濯乾燥機の概略的な構成を示す一つの側断面を示す図である。
【図４】この発明の繊維構造物の処理装置の一つの実施の形態として洗濯乾燥機の概略的な構成を示すもう一つの側断面を示す図である。
【図５】洗濯工程全体を示すフローチャートである。
【図６】洗い工程を示すフローチャートである。
【図７】すすぎ工程を示すフローチャートである。
【図８】銀除菌すすぎ工程を示すフローチャートである。
【図９】脱水乾燥選択工程を示すフローチャートである。
【図１０】脱水工程を示すフローチャートである。
【図１１】光照射脱水工程を示すフローチャートである。
【図１２】乾燥工程を示すフローチャートである。
【図１３】光照射乾燥工程を示すフローチャートである。
【図１４】槽内殺菌工程を示すフローチャートである。
【図１５】経過時間と試料に存在する菌数との関係を示すグラフである。
【図１６】付着される銀イオンの生成方法の種類と試料に存在する菌数との関係を示すグラフである。
【図１７】光照射の有無による各銀イオン濃度と菌数との関係を示す図である。
【符号の説明】
【０１４７】
１：本体、２:水槽、３:回転ドラム、６：衣類、２０:光照射ユニット、２１:光源、４０：銀イオン水供給部、１００:洗濯乾燥機。
【図１】
2008049109.tif 000005
【図２】
2008049109.tif 000006
【図３】
2008049109.tif 000007
【図４】
2008049109.tif 000008
【図５】
2008049109.tif 000009
【図６】
2008049109.tif 000010
【図７】
2008049109.tif 000011
【図８】
2008049109.tif 000012
【図９】
2008049109.tif 000013
【図１０】
2008049109.tif 000014
【図１１】
2008049109.tif 000015
【図１２】
2008049109.tif 000016
【図１３】
2008049109.tif 000017
【図１４】
2008049109.tif 000018
【図１５】
2008049109.tif 000019
【図１６】
2008049109.tif 000020
【図１７】
2008049109.tif 000021
【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
内部に繊維構造物を収容する収容部と、
水に銀イオンを添加し、銀イオンが添加された水に、前記収容部を、および／または、前記収容部内に収容された前記繊維構造物を、接触させることにより、前記収容部に、および／または、前記収容部内に収容された前記繊維構造物に、銀イオンを付与する銀イオン付与部と、
前記銀イオン付与部によって銀イオンが付与された前記収容部および／または前記繊維構造物に、光を照射する光照射部とを備え、
前記銀イオン付与部によって銀イオンが付与された前記収容部および／または前記繊維構造物に、光が前記光照射部から照射されることによって、前記収容部および／または前記繊維構造物を殺菌処理する、洗濯機。
【請求項２】
前記銀イオン付与部は、電解によって水に銀イオンを添加する、請求項１に記載の洗濯機。
【請求項３】
前記光照射部は、可視光を含む光を照射する、請求項１または請求項２に記載の洗濯機。
【請求項４】
前記繊維構造物から水を除去する脱水工程を行い、前記脱水工程以前の工程で前記銀イオン付与部によって銀イオンが付与された前記収容部および／または前記繊維構造物に、前記脱水工程の間に、および／または、前記脱水工程の後に、前記光照射部が光を照射する、請求項１から請求項３までのいずれか１項に記載の洗濯機。
【請求項５】
洗濯工程と乾燥工程を行うことが可能な洗濯乾燥機であって、前記繊維構造物の洗濯を行う洗濯工程時に前記銀イオン付与部によって前記繊維構造物に銀イオンを付与し、その後、前記繊維構造物を乾燥させる乾燥工程を行い、前記乾燥工程の間に、および／または、前記乾燥工程の後に、前記光照射部が前記繊維構造物に光を照射する、請求項１から請求項４までのいずれか１項に記載の洗濯機。
【請求項６】
前記収容部から前記繊維構造物を取り出した後、前記光照射部が前記収容部に光を照射する、請求項１から請求項５までのいずれか１項に記載の洗濯機。
【請求項７】
銀イオンが付与された前記収容部および／または前記繊維構造物における銀付着量が、２０ｎｇ／ｃｍ２未満であり、その銀付着量で銀イオンが付与された前記収容部および／または前記繊維構造物に光が前記光照射部から照射される、請求項１から請求項６までのいずれか１項に記載の洗濯機。
【請求項８】
銀イオンが付与された前記収容部および／または前記繊維構造物における銀付着量が、１０ｎｇ／ｃｍ２未満であり、その銀付着量で銀イオンが付与された前記収容部および／または前記繊維構造物に可視光が前記光照射部から照射される、請求項１から請求項７までのいずれか１項に記載の洗濯機。
【請求項９】
水に銀イオンを添加する銀イオン付与部と、
前記銀イオン付与部によって銀イオンが添加された水に、光を照射する光照射部とを備え、
前記銀イオン付与部によって銀イオンが添加された水に、光が前記光照射部から照射されることによって、水を殺菌処理する、洗濯機。
【請求項１０】
前記銀イオン付与部は、電解によって水に銀イオンを添加する、請求項９に記載の洗濯機。
【手続補正３】
【補正対象書類名】明細書
【補正対象項目名】０００１
【補正方法】変更
【補正の内容】
【０００１】
この発明は、繊維構造物の処理装置としての洗濯機に関し、特定的には殺菌作用を高めることが可能な、衣類、布団、敷物等の繊維構造物の処理装置、たとえば、洗濯機、洗濯乾燥機等の洗濯機に関するものである。
【手続補正４】
【補正対象書類名】明細書
【補正対象項目名】００１１
【補正方法】変更
【補正の内容】
【００１１】
そこで、この発明の目的は、殺菌対象となる繊維構造物および／または処理装置の構成部材を高温に加熱する必要がなく、必ずしも乾燥状態にする必要もないとともに、殺菌対象となる繊維構造物および／または処理装置の構成部材に劣化、退色等をもたらさないで、殺菌対象となる繊維構造物および／または処理装置の構成部材が損傷することがなく、十分な殺菌作用を得ることが可能な、繊維構造物の処理装置としての洗濯機を提供することである。
【手続補正５】
【補正対象書類名】明細書
【補正対象項目名】００１２
【補正方法】変更
【補正の内容】
【００１２】
この発明の一つの局面に従った洗濯機は、内部に繊維構造物を収容する収容部と、水に銀イオンを添加し、銀イオンが添加された水に、収容部を、および／または、収容部内に収容された繊維構造物を、接触させることにより、収容部に、および／または、収容部内に収容された繊維構造物に、銀イオンを付与する銀イオン付与部と、銀イオン付与部によって銀イオンが付与された収容部および／または繊維構造物に、光を照射する光照射部とを備え、銀イオン付与部によって銀イオンが付与された収容部および／または繊維構造物に、光が光照射部から照射されることによって、収容部および／または繊維構造物を殺菌処理する。
【手続補正６】
【補正対象書類名】明細書
【補正対象項目名】００１３
【補正方法】変更
【補正の内容】
【００１３】
この発明の一つの局面に従った洗濯機においては、銀イオンが付与された収容部および／または繊維構造物に、さらに光を照射することによって殺菌作用を向上させることができる。また、殺菌対象となる収容部および／または繊維構造物を加熱しないで、必ずしも乾燥状態にする必要もなく、銀イオンが付与された収容部および／または繊維構造物に光を照射するだけで殺菌作用を向上させることができる。さらに、銀イオンが付与された収容部および／または繊維構造物に光を照射するだけで、雑菌等の微生物の繁殖をより効果的に抑制することができる。なお、収容部および／または繊維構造物に銀イオンを付与するだけの装置に比べて、本発明の洗濯機によれば、少ない銀の使用量で所定の殺菌作用を得ることができる。したがって、合成樹脂等からなる収容部を構成する部材、および／または、衣類、布団、敷物等の繊維構造体を殺菌処理することができ、殺菌対象となる物質が損傷することがなく、十分な殺菌作用を得ることができる。
【手続補正７】
【補正対象書類名】明細書
【補正対象項目名】００１４
【補正方法】変更
【補正の内容】
【００１４】
この発明の一つの局面に従った洗濯機において、銀イオン付与部は、電解によって水に銀イオンを添加することが好ましい。この場合、光照射による殺菌作用を向上させることができる。
【手続補正８】
【補正対象書類名】明細書
【補正対象項目名】００１５
【補正方法】変更
【補正の内容】
【００１５】
また、この発明の一つの局面に従った洗濯機において、光照射部は、可視光を含む光を照射することが好ましい。この場合、可視光を含む光を照射することによって、殺菌作用をより向上させることができるとともに、紫外線による物質の劣化、退色等の損傷を防止することができる。
【手続補正９】
【補正対象書類名】明細書
【補正対象項目名】００１６
【補正方法】変更
【補正の内容】
【００１６】
さらにまた、この発明の一つの局面に従った洗濯機において、繊維構造物から水を除去する脱水工程を行い、脱水工程以前の工程で銀イオン付与部によって銀イオンが付与された収容部および／または繊維構造物に、脱水工程の間に、および／または、脱水工程の後に、光照射部が光を照射することが好ましい。この場合、繊維構造物から水を除去する脱水工程を行い、脱水工程の間に、および／または、脱水工程の後に、光照射部が収容部および／または繊維構造物に光を照射することによって、洗濯対象物としての繊維構造物、および／または、洗濯対象物を収容する収容部を殺菌処理することができ、殺菌対象となる物質が損傷することがなく、十分な殺菌作用を得ることができる。また、脱水工程の間に、および／または、脱水工程の後に、光照射部が収容部および／または繊維構造物に光を照射するので、収容部内に洗濯用水またはすすぎ用水が存在しないため、洗濯対象物としての繊維構造物、および／または、洗濯対象物を収容する収容部に対して効率的に光を照射することができる。
【手続補正１０】
【補正対象書類名】明細書
【補正対象項目名】００１７
【補正方法】変更
【補正の内容】
【００１７】
この発明の一つの局面に従った洗濯機は、洗濯工程と乾燥工程を行うことが可能な洗濯乾燥機であって、繊維構造物の洗濯を行う洗濯工程時に銀イオン付与部によって繊維構造物に銀イオンを付与し、その後、繊維構造物を乾燥させる乾燥工程を行い、乾燥工程の間に、および／または、乾燥工程の後に、光照射部が繊維構造物に光を照射することが好ましい。この場合、繊維構造物を乾燥させる乾燥工程を行い、乾燥工程の間に、および／または、乾燥工程の後に、光照射部が収容部および／または繊維構造物に光を照射することによって、洗濯対象物としての繊維構造物、および／または、洗濯対象物を収容する収容部を殺菌処理することができ、殺菌対象となる物質が損傷することがなく、十分な殺菌作用を得ることができる。また、乾燥工程の間に、および／または、乾燥工程の後に、光照射部が収容部および／または繊維構造物に光を照射するので、収容部内に水が存在しないため、乾燥対象物としての繊維構造物、および／または、乾燥対象物を収容する収容部に対して効率的に光を照射することができる。
【手続補正１１】
【補正対象書類名】明細書
【補正対象項目名】００１８
【補正方法】変更
【補正の内容】
【００１８】
この発明の一つの局面に従った洗濯機において、収容部から繊維構造物を取り出した後、光照射部が収容部に光を照射することが好ましい。この場合、収容部から繊維構造物を取り出した後、収容部内を効果的に殺菌処理することができる。
【手続補正１２】
【補正対象書類名】明細書
【補正対象項目名】００１９
【補正方法】変更
【補正の内容】
【００１９】
この発明の一つの局面に従った洗濯機において、銀イオンが付与された収容部および／または繊維構造物における銀付着量が、２０ｎｇ／ｃｍ２未満であり、その銀付着量で銀イオンが付与された収容部および／または繊維構造物に光が光照射部から照射されることが好ましい。
【手続補正１３】
【補正対象書類名】明細書
【補正対象項目名】００２０
【補正方法】変更
【補正の内容】
【００２０】
この発明の一つの局面に従った洗濯機において、銀イオンが付与された収容部および／または繊維構造物における銀付着量が、１０ｎｇ／ｃｍ２未満であり、その銀付着量で銀イオンが付与された収容部および／または繊維構造物に可視光が光照射部から照射されることが好ましい。
【手続補正１４】
【補正対象書類名】明細書
【補正対象項目名】００２１
【補正方法】変更
【補正の内容】
【００２１】
この発明のもう一つの局面に従った洗濯機は、水に銀イオンを添加する銀イオン付与部と、銀イオン付与部によって銀イオンが添加された水に、光を照射する光照射部とを備え、銀イオン付与部によって銀イオンが添加された水に、光が光照射部から照射されることによって、水を殺菌処理する。
【手続補正１５】
【補正対象書類名】明細書
【補正対象項目名】００２２
【補正方法】変更
【補正の内容】
【００２２】
このようにすることにより、洗いやすすぎに用いられる水に銀イオンを含ませ、その水に光を照射することによって、洗い水やすすぎ水を効果的に殺菌することができる。
【手続補正１６】
【補正対象書類名】明細書
【補正対象項目名】００２３
【補正方法】変更
【補正の内容】
【００２３】
この発明のもう一つの局面に従った洗濯機において、銀イオン付与部は、電解によって水に銀イオンを添加することが好ましい。この場合、光照射による殺菌作用を向上させることができる。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
この発明によれば、殺菌対象となる収容部および／または繊維構造物を高温に加熱する必要がなく、必ずしも乾燥状態にする必要もなく、殺菌対象となる収容部および／または繊維構造物に劣化、退色等をもたらさないで、殺菌対象となる収容部および／または繊維構造物が損傷することがなく、衣類、布団、敷物等の繊維構造物の処理装置として、たとえば、洗濯機、洗濯乾燥機等の洗濯機において、簡単な工程で殺菌効果を向上させることができ、十分な殺菌作用を得ることができる。
【手続補正２１】
【補正対象書類名】明細書
【補正対象項目名】０１１１
【補正方法】変更
【補正の内容】
【０１１１】
最後に、図１４に示すフローチャートに基づいて、槽内殺菌工程の内容について説明する。ステップＳ１００１にて光照射を開始し、ステップＳ１００２にて光照射を停止することである。ステップＳ１００１にて、図３に示すように、光照射部として光照射ユニット２０は、主に可視光を含む光を照射する蛍光灯、白熱灯、ＬＥＤ等からなる光源２１から、水槽２の内周壁面と回転ドラム３の外周壁面および内周壁面３１に、矢印Ｐで示す方向に光を直接、照射するように制御部が光照射を開始させる。所定時間の光照射の後、ステップＳ１００２にて、制御部が光照射を終了させる。このようにして、銀イオンが付与された水槽２の内周壁面と回転ドラム３の外周壁面および内周壁面３１とに、運転が終了した後に光を照射することによって、水槽２の内周壁面と回転ドラム３の外周壁面および内周壁面３１とを殺菌処理することができる。